(57)【要約】【課題】  埃等の多い劣悪な環境下においても、異常画像の発生を抑制することが可能な画像形成装置を提供すること。【解決手段】  外部の空気を装置内に吸引する吸引手段２１、吸引手段２１の上流側に設けられたフィルタ手段２２、少なくとも被冷却部を冷却するために、吸引手段２１から吸引される空気を被冷却部へと導く空気路２０、２３、及び、装置内の全部又は一部の気圧を外部よりも高くするための圧力調整手段２４を有する冷却機構と、用紙に画像を形成するための画像形成部５、６と、用紙に、形成された画像を定着させる定着部１２とを備え、被冷却部は、少なくとも定着部１２を含む、画像形成装置である。【選択図】図２
2007065404.tif 000002
【特許請求の範囲】
【請求項１】
外部の空気を装置内に吸引する吸引手段と、
前記吸引手段の上流側に設けられたフィルタ手段と、
少なくとも被冷却部を冷却するために、前記吸引手段から吸引される空気を前記被冷却部へと導く空気路と、
前記装置内の全部又は一部の気圧を外部よりも高くするための圧力調整手段とを備えた、冷却機構。
【請求項２】
請求項１記載の冷却機構と、
用紙に画像を形成するための画像形成部と、
前記用紙に、前記形成された画像を定着させる定着部とを備え、
前記被冷却部は、少なくとも前記定着部を含む、画像形成装置。
【請求項３】
前記吸引手段は、ファンであり、
前記空気路は、
前記画像形成部上に、前記画像形成部の感光ドラムの回転軸と実質上平行に配置されたダクトと、
前記ダクト内の空気を前記定着部へと導くための反射板とを有し、
前記反射板に、空気の流れる方向を分散させるための前記圧力調整手段が形成されている、請求項２記載の画像形成装置。
【請求項４】
前記吸引手段は、ファンであり、
前記空気路は、
前記画像形成部と前記定着部の間に配置されているダクトと、
前記定着部側へと空気を排出する定着側排出孔と、
前記画像形成部側へと空気を排出する画像形成部側排出孔と、
前記ダクトの先端に設けられた反射板とを有し、
前記反射板に、空気の流れる方向を分散させるための前記圧力調整手段が形成されている、請求項２記載の画像形成装置。
【請求項５】
前記吸引手段は、ファンであり、
前記空気路は、
前記画像形成部上方に配置され、前記定着部側へと開口部が形成された流路と、
前記流路から分かれた分岐流路と、
前記分岐流路の先端に設けられた反射板とを有し、
前記反射板に、空気の流れる方向を分散させるための前記圧力調整手段が形成されている、請求項２記載の画像形成装置。
【請求項６】
前記圧力調整手段は、前記反射板の表面に配置されたスポンジ、布、フェルト、又は植毛である、請求項３〜５のいずれかに記載の画像形成装置。
【請求項７】
前記圧力調整手段は、前記反射板の表面に形成された凹凸又は溝である、請求項３〜５のいずれかに記載の画像形成装置。
【請求項８】
前記吸引手段は、少なくとも２つ以上のファンであり、
前記空気路は、
一方の前記ファンから吸引された空気を、前記定着部の上部を通過させて、装置外部へと排出させるために、前記定着部を熱交換可能に設けられたダクトを有し、
他方の前記ファンは、前記画像形成部の近傍に設けられており、
前記圧力調整手段は、前記他方のファンである、請求項２記載の画像形成装置。
【発明の詳細な説明】
【技術分野】
【０００１】
本発明は、冷却機構、並びにそれを用いた複写機、プリンタ、及びファックス等の画像形成装置に関する。
【背景技術】
【０００２】
プリンタ、複写機等では、感光ドラム上に形成された静電潜像にトナーが付着され、可視像が形成され、更に、このトナーは用紙に転写され、定着部において用紙に熱定着される。この熱定着において発生する熱は、感光ドラムや電子部品に悪影響を与えるおそれがあるため、従来の複写機などでは、定着部の近傍にファンを配置し、このファンによって装置内の空気を外部へ排出していた。
【０００３】
このような構成により、装置の嵌合部等の隙間から吸引された空気は、装置内を冷却しつつ、定着部で発生した余分な熱とともに、装置外部へ排出されることになる。すなわち、定着部で加熱された空気は、他の電子部品に熱による影響を与えずに、装置外部へと排気される。
【０００４】
一方、感光体に静電潜像を形成するためのレーザー書き込みユニット内に発生するオゾンを効率よく排除するような構成が、例えば特許文献１に開示されている。この特許文献１では、ユニット内に外部から空気を吸引し、ユニット内の気圧を高めることによってトナーや埃の侵入を阻止している。
【特許文献１】特開平６−１１０２８７号公報
【発明の開示】
【発明が解決しようとする課題】
【０００５】
上述した装置内の空気を外部へ排出する構成の画像形成装置を、例えば、舗装されていない道路脇に設置する場合や、外国で砂埃が絶えず舞っているような状況で使用される場合、装置の嵌合部等から埃や砂などが舞い込むため、異常画像の原因となっていた。
【０００６】
また、上述したユニット外部の空気を内部へと吸引する構成を、仮に画像形成装置に適用したとしても、容積が大きく、内部に多くの構成部材があるため所望の効果を発揮出来ないと考えられる。
【０００７】
本発明は、上記従来の装置の課題を考慮して、埃等の多い劣悪な環境下においても、異常画像の発生を抑制することが可能な冷却機構及びそれを用いた画像形成装置を提供することを目的とする。
【課題を解決するための手段】
【０００８】
上記目的を達成するために、第１の本発明は、
外部の空気を装置内に吸引する吸引手段と、
前記吸引手段の上流側に設けられたフィルタ手段と、
少なくとも被冷却部を冷却するために、前記吸引手段から吸引される空気を前記被冷却部へと導く空気路と、
前記装置内の全部又は一部の気圧を外部よりも高くするための圧力調整手段とを備えた、冷却機構である。
【０００９】
また、第２の本発明は、
第１の本発明の冷却機構と、
用紙に画像を形成するための画像形成部と、
前記用紙に、前記形成された画像を定着させる定着部とを備え、
前記被冷却部は、少なくとも前記定着部を含む、画像形成装置である。
【００１０】
また、第３の本発明は、
前記吸引手段は、ファンであり、
前記空気路は、
前記画像形成部上に、前記画像形成部の感光ドラムの回転軸と実質上平行に配置されたダクトと、
前記ダクト内の空気を前記定着部へと導くための反射板とを有し、
前記反射板に、空気の流れる方向を分散させるための前記圧力調整手段が形成されている、第２の本発明の画像形成装置である。
【００１１】
また、第４の本発明は、
前記吸引手段は、ファンであり、
前記空気路は、
前記画像形成部と前記定着部の間に配置されているダクトと、
前記定着部側へと空気を排出する定着側排出孔と、
前記画像形成部側へと空気を排出する画像形成部側排出孔と、
前記ダクトの先端に設けられた反射板とを有し、
前記反射板に、空気の流れる方向を分散させるための前記圧力調整手段が形成されている、第２の本発明の画像形成装置である。
【００１２】
また、第５の本発明は、
前記吸引手段は、ファンであり、
前記空気路は、
前記画像形成部上方に配置され、前記定着部側へと開口部が形成された流路と、
前記流路から分かれた分岐流路と、
前記分岐流路の先端に設けられた反射板とを有し、
前記反射板に、空気の流れる方向を分散させるための前記圧力調整手段が形成されている、第２の本発明の画像形成装置である。
【００１３】
また、第６の本発明は、
前記圧力調整手段は、前記反射板の表面に配置されたスポンジ、布、フェルト、又は植毛である、第３〜５のいずれかの本発明の画像形成装置である。
【００１４】
また、第７の本発明は、
前記圧力調整手段は、前記反射板の表面に形成された凹凸である、第３〜５のいずれかの本発明の画像形成装置である。
【００１５】
また、第８の本発明は、
前記吸引手段は、少なくとも２つ以上のファンであり、
前記空気路は、
一方の前記ファンから吸引された空気を、前記定着部の上部を通過させて、装置外部へと排出させるために、前記定着部を熱交換可能に設けられたダクトを有し、
他方の前記ファンは、前記画像形成部の近傍に設けられており、
前記圧力調整手段は、前記他方のファンである、第２の本発明の画像形成装置である。
【発明の効果】
【００１６】
本発明によれば、埃等の多い劣悪な環境下においても、異常画像の発生を抑制することが可能な冷却機構及びそれを用いた画像形成装置を提供することが出来る。
【発明を実施するための最良の形態】
【００１７】
以下、本発明にかかる画像形成装置の実施の形態について図面を参照しながら説明するとともに、本発明の冷却機構の一例についても同時に述べる。
【００１８】
（実施の形態１）
図１は、本発明にかかる実施の形態１の複写機の側面から見た構成図である。図１に示すように、本実施の形態１の複写機は、用紙を本体に供給する給紙カセット１と、用紙を手差しで本体に給紙する手差し給紙機構１１と、露光ランプ、レンズ、ミラー等により原稿の画像光を結像する露光部３と、その結像された画像光により感光され静電潜像が形成される感光体ドラムを有するドラム部５と、その感光体ドラムの静電潜像を現像する現像部６と、その現像された感光体ドラム上のトナー画像を給紙カセット１または手差し給紙機構１１から搬送されてきた用紙に転写、分離する転写・分離部８と、用紙に転写されたトナー画像を熱により定着する定着部１２とを備えている。
【００１９】
なお、図１に示されている点線の矢印は光路を示しており、矢印がドラム部５に接している部分で感光体ドラムに静電潜像が形成される。また、実線矢印は、紙の搬送路を示している。
【００２０】
また、定着部１２にドラム部５から分離された用紙を搬送する搬送部９と、定着部１２によって定着が終了した用紙を本体の外へ排出する排出部７が設けられている。さらに、ドラム部５の感光体ドラムに帯電を行う主帯電部２と、転写の終了した感光体表面の残留トナーを除去するクリーニング部１０と、両面コピーを行う場合に、用紙を反転させるための反転・分岐部４が設けられている。
【００２１】
また、主帯電部２の上部には、ダクト２０が設けられている。図２は、図１のＡＡ′断面の概略構成図である。図２に示すように、ダクト２０は、本実施の形態１の複写機の側壁からドラム部５の感光体ドラムの回転軸と実質上平行に配置されている。このダクト２０は、断面が矩形状であり、複写機の側壁側の端には、内側から順に吸引ファン２１と、吸引空気から塵を除去するためのフィルター２２が配置されている。
【００２２】
また、ダクト２０の先端２０ａには反射板２３が設けられている。この反射板２３は、その平面が複写機本体の底面に対して実質上垂直であって、現像部６側の側面２０ｂに取り付けられており、定着部１２側に向かって傾斜するように配置されている。この反射板２３の空気が当たる表面２３ａには、図３の斜視図に示すようにフェルト２４が貼られている。尚、図２の矢印は空気の流れを示している。
【００２３】
尚、本発明の圧力調整手段の一例は、本実施の形態１のフェルト２４に相当し、本発明の吸引手段の一例は、本実施の形態１の吸引ファン２１に相当する。また、本発明の空気路の一例は、本実施の形態１のダクト２０に相当する。また、本発明の画像形成部は、例えば、本実施の形態１のドラム部５及び現像部６に相当する。また、本発明の冷却機構の一例は、本実施の形態１のダクト２０、吸引ファン２１、フィルター２２、反射板２３、及びフェルト２４に相当する。
【００２４】
次に、本実施の形態１の複写機の動作について以下に説明する。
【００２５】
吸引ファン２１が回転し、フィルター２２によって埃等が除かれた外部の空気がダクト２０内に吸引される。吸引された空気は、反射板２３によって反射して定着部１２側へと導かれる。
【００２６】
定着部１２側へと導かれた空気は、定着部１２を冷却し、横側面に設けられたスリット２５や複写機の筐体の嵌合部の隙間から外部へと排出されることになる。
【００２７】
ここで、ドラム部５及び現像部６では、筐体内の温度上昇によってトナーが付着し難いといった問題が発生することがあり得るため、温度上昇を出来るだけ抑制する必要がある。本実施の形態１では、ダクト２０から主として定着部１２へと向かう空気の流れを作ることにより、定着部１２で発生する熱を吸収した空気を直接外部へと排出することが可能となる。これにより、、ドラム部５や現像部６周辺の温度上昇も防止出来る。
【００２８】
しかしながら、反射板２３から定着部１２への一方向にだけ空気の流れが生じると、特に現像部６側において負圧になる場合があり、外部から筐体の嵌合部の隙間を通って内部へと導かれる空気の流れが発生することになり、そこから埃等が侵入する可能性が生じる。そこで、本実施の形態１では、反射板２３にフェルト２４を貼り付けているために、空気は、定着部１２方向だけでなく、多方向に分散されることになり、複写機の内部全体に渡って気圧が外部よりも高くすることができる。これにより外部から内部への空気の流れが発生しなくなり、埃等の侵入を抑制することが可能となる。
【００２９】
なお、本実施の形態１では、反射板２３にフェルト２４を貼り付けているが、空気の流れが分散しさえすれば、フェルトに限らずスポンジ等であってもよく、更に、図４（ａ）に示すように金属粒子を溶射付着させてもよい。また、反射板２３自体を図４（ｂ）に示すような突起形状、図４（ｃ）に示すような穴加工、又は図４（ｄ）に示すような溝又はリブ加工であってもよい。
【００３０】
また、本実施の形態１の複写機において、定着部１２側の筐体の嵌合部の隙間を大きくし、現像部６側の筐体の嵌合部の隙間をできるだけふさぎ、定着部１２側よりも狭くするような筐体の構成であってもよい。具体的には、例えば、紙の搬送路と定着部１２の間に板状部材等を設けることによってローラ部分以外の隙間を出来るだけふさぐことが可能となる。また、この板状部材として給紙・搬送路の周囲に設けられているガイド板を利用してもよい。このような構成では、反射板２３上にフェルト２４を設けず、一方向にだけ空気の流れが生じた場合であっても、現像部６側に隙間がないため、外部から内部への空気の流れが生じないので埃等の侵入を防ぐことが可能となる。
【００３１】
（実施の形態２）
以下に、本発明にかかる実施の形態２における複写機について説明する。図５は、本実施の形態２における複写機の断面構成図である。また、図６は、図５のＢＢ′断面の概略構成図である。なお、図５に示されている点線の矢印は光路を示しており、実線矢印は紙の搬送路を示している。又、図６の矢印は空気の流れを示している。
【００３２】
図５及び図６に示すように、本実施の形態２の複写機は、その基本的構成は実施の形態１と同じであるが、ダクト３０の配置及び形状が異なる。そのため、本相違点を中心に説明する。尚、図５及び図６において実施の形態１と同一の構成要素については同一番号を付している。
【００３３】
図５及び図６に示すように、ダクト３０は、定着部１２とドラム部５の間に、感光体ドラムの回転軸と実質上平行に設けられている。又、ダクト３０は実施の形態１のダクト２０と同様に断面が矩形状であるが、実施の形態１と異なり、その内側空間を定着部１２側とドラム部５側に分けるための仕切板３１がダクト３０の上流から下流に渡り設けられている。さらに、ダクト３０の、定着部１２側の側面３０ａには、空気を噴出するための定着側排出孔３２が長さ方向に沿って複数個形成されており、同様にドラム部５側にも画像形成部側排出孔３４が複数個形成されている。
【００３４】
又、図６に示すように、ダクト３０の先端部３０ｃは開放されている。そして、仕切板３１の先端部に２枚の反射板３３ａ、３３ｂが、その平面が複写機本体の底面に対して実質上垂直になるように設けられている。これら２枚のうち１方の反射板３３ａは、仕切板３１の先端部３１ａに取り付けられており、定着部１２側に傾斜するように配置されており、他方の反射板３３ｂは、仕切板３１の先端部３１ａに取り付けられており、ドラム部５側に傾斜するように配置されている。反射板３３ａ及び反射板３３ｂの空気が当たる面には、実施の形態１と同様にフェルト２４が貼り付けられている。
【００３５】
又、図５に示すように、ダクト３０の上下には、定着部１２によって温められた空気がドラム部５側に出来るだけ流れ込まないようにするためのカバー３５が設けられている。
【００３６】
尚、本発明の空気路の一例は、本実施の形態２では、ダクト３０、定着側排出孔３２、画像形成部側排出孔３４、反射板３３ａ、及び反射板３３ｂに相当する。また、本発明の圧力調整手段の一例は、本実施の形態２の２枚の反射板３３ａ、３３ｂに設けられたフェルト２４に相当する。また、本発明の冷却機構の一例は、本実施の形態２では、フィルター２２、吸引ファン２１、ダクト３０、仕切板３１、定着側排出孔３２、画像形成部側排出孔３４、反射板３３ａ、反射板３３ｂ、及びフェルト２４に相当する。
【００３７】
上記構成によって、フィルター２２によって埃を除かれ、吸引ファン２１によって吸引された空気は、ダクト３０内において仕切板３１によって定着部１２側とドラム部５側に分けられ、定着側排出孔３２、画像形成部側排出孔３４、及びダクト２０の先端部３０ｃから流れ出す。そして、流れ出した空気は、定着部１２、又はドラム部５及び現像部６を冷却し、複写機の筐体の嵌合部の隙間から外部へと流出する。
【００３８】
本実施の形態２の複写機では、複写機内部のほぼ中央部から多方向に空気の流れが発生しているため、複写機の内部全体に渡って気圧が外部よりも高くすることができるため、埃等の侵入を抑制することが可能となる。
【００３９】
又、カバー３５を設けているために、定着部１２で発生する熱を吸収した空気を、ドラム部５や現像部６へと出来るだけ移動させずに外部へと排出することが可能となる。
【００４０】
なお、本実施の形態２では、反射板３３ａ、３３ｂにフェルト２４を貼り付けているが、実施の形態１と比較して、空気の流れが一方向では無いため、貼り付けなくても良いし、さらに、反射板３３ａ、３３ｂ自体を設けずに、ダクト３０の先端部３０ｃから複写機の内側壁に向かって空気を排出してもよい。
【００４１】
（実施の形態３）
以下に、本発明にかかる実施の形態３における複写機について説明する。図７は、本実施の形態３における複写機の側断面図である。図８は、図７のＣＣ′断面の概略図である。図９は、本実施の形態３の複写機のダクト先端部の拡大斜視図である。なお、図７に示されている点線の矢印は光路を示しており、実線矢印は紙の搬送路を示している。又、図８の矢印は空気の流れを示している。
【００４２】
図７〜図９示すように、本実施の形態３の複写機は、基本的構成は実施の形態１と同じであるが、ダクト４０の配置と形状が異なる。そのため、本相違点を中心に説明する。尚、図７及び図８において実施の形態２と同一の構成要素については、同一符号を付している。
【００４３】
図７及び図８に示すように、ダクト４０は、実施の形態１と異なり、現像部６から定着部１２に向かって、ドラム部５の感光体ドラムの回転軸に実質上垂直に配置されている。又、図８及び図９に示すように、ダクト４０は断面が矩形状であり、その内側空間には２枚の仕切板４１が配置されており、この２枚の仕切板４１によってダクト４０の内側空間は、３分割されており、内側流路４０ａとその両端の２つの外側流路４０ｂに分けられている。
【００４４】
又、２つの仕切板４１のそれぞれの先端４１ａには、ダクト４０の外側に向けて傾斜した反射板４２が設けられている。これらの反射板４２の吸引ファン２１側の面には、フェルト２４が貼り付けられている。
【００４５】
尚、本発明の空気路の一例は、本実施の形態３では、内側流路４０ａ、外側流路４０ｂ、及び反射板４２に相当する。また、本発明の圧力調整手段の一例は、本実施の形態３の２枚の反射板４２に設けられたフェルト２４に相当する。また、本発明の、定着部側へと開口部が形成された流路の一例は、本実施の形態３の内側流路４０ａに相当し、本発明の分岐流路の一例は、本実施の形態３の外側流路４０ｂに相当する。また、本発明の冷却機構の一例は、本実施の形態３では、フィルター２２、吸引ファン２１、ダクト４０、仕切板４１、内側流路４０ａ、外側流路４０ｂ、反射板４２、及びフェルト２４に相当する。
【００４６】
上記構成により、フィルター２２によって埃を除かれ、吸引ファン２１によって吸引された空気は、仕切板４１によって内側流路４０ａと外側流路４０ｂに分けられる。そして、内側流路４０ａから流れ出した空気は定着部１２側へと向かい、定着部１２からの放熱による高温の空気を外部へ排出する。一方、外側流路４０ｂから流れ出した空気は、反射板４２によって反射され、感光体ドラムの回転軸の両端方向に主に流れるが、反射板４２にフェルト２４が貼り付けられているために、反射方向は一定方向だけにはならず多方向に空気の流れが生ずることになる。
【００４７】
このように本実施の形態３の複写機では、多方向に空気の流れが発生しているため、複写機の内部全体に渡って気圧が外部よりも高くすることができるため、埃等の侵入をより防止することが可能となる。
【００４８】
又、ドラム部５及び現像部６から定着部１２へと向かう空気の流れを作ることにより、定着部１２で発生する熱を吸収した空気を、ドラム部５や現像部６へと出来るだけ移動させずに外部へと排出することが可能となる。
【００４９】
尚、複写機の内部全体に渡って気圧が外部よりも高くするためには、フェルト２４の代わりに、ダクト４０の側面４０ｃに空気穴を設けることによって空気の流れる方向を多方向にしてもよいし、フェルト２４と空気孔の双方を設けても良い。
【００５０】
（実施の形態４）
以下に、本発明にかかる実施の形態４における複写機について説明する。図１０は、本実施の形態４における複写機の断面図である。また、図１１は、図１０のＤＤ′断面の概略図である。なお、図１０に示されている点線の矢印は光路を示しており、実線矢印は紙の搬送路を示している。又、図１１の矢印は空気の流れを示している。
【００５１】
図１０及び図１１に示すように、本実施の形態４の複写機は、基本的構成は実施の形態１と同じであるが、ダクト５０の配置と形状が異なる。そのため、本相違点を中心に説明する。尚、図１０及び図１１において実施の形態１と同一の構成要素については、同一符号を付している。
【００５２】
図１０及び図１１に示すように、本実施の形態４における複写機において、ダクト５０は、定着ローラの回転軸と実質上平行であって、定着部１２を覆っているカバー１２ａの上部と熱交換可能に接触して配置されている。このダクト５０は、上流端５０ａはファン２１側の複写機の内壁に接続しており、下流端５０ｂは、それに対向する内壁に接続されている。ダクト５０の上流端５０ａには、実施の形態１と同様に複写機の外側から順に、防塵用のフィルター２２と吸引ファン２１が順に配置されており、下流端５０ｂには、スリットなどが設けられ開口されている。
【００５３】
また、ドラム部５及び現像部６の近傍であって、感光体ドラムの回転軸方向の内側面にも防塵用のフィルター５２と吸引ファン５３が設けられている。この吸引ファン５３と、ドラム部５及び現像部６の間には、吸引ファン５３から、ドラム部５及び現像部６に向かって放射状に４枚の整流板５１が配置されている。
【００５４】
なお、本発明の空気流路の一例は、本実施の形態４のダクト５０に相当し、本発明の圧力調整手段の一例は、吸引ファン５３及び整流板５１に相当する。また、本発明の冷却機構の一例は、本実施の形態４では、フィルター２２、吸引ファン２１、ダクト５０、フィルター５２、及び吸引ファン５３、及び整流板５１に相当する。
【００５５】
上記構成により、吸引ファン２１によって吸引された空気は、ダクト５０内に流れ込み、下方に配置されている定着部１２で発生する余分な熱を奪い、下流端５０ｂを通ってスリットなどの開口部から複写機の外部へと排出される。一方、吸引ファン５３によって吸引された空気は、主にドラム部５と現像部６の回転軸方向に流れていくが、整流板５１によって多方向にも流れていく。
【００５６】
以上により、定着部１２から熱を奪った空気は、そのまま外部へと排出されるため、定着部１２で発生した熱は、ドラム部５及び現像部６、他の電子部品などに影響を与えることなく外部へと放出されることになる。
【００５７】
又、整流板５１によって空気の流れが一方向でなく多方向となるため、複写機の内部全体に渡って気圧が外部よりも高くなり、埃等の侵入をより防止することが可能となる。
【００５８】
尚、本実施の形態４では、整流板５１には何も貼っていないが、実施の形態１で述べたようなフェルト、スポンジ等を貼り付けてもよい。
【００５９】
又、本実施の形態４の４枚の整流板５１は、本発明の圧力調整手段の一例に相当するが、複写機内部に負圧が発生しなければ、設けなくても良い。
【００６０】
又、本実施の形態４では、本発明の圧力調整手段の一例である吸引ファン５３は１つだけ設けられているが、２つ以上設けられていても良い。実施の形態１〜３においても圧力調整手段として、ファンを設けても良い。
【００６１】
又、実施の形態１〜４で、本発明の画像形成装置の一例として複写機を用いて説明したが、プリンタ、ファックス等であってもよい。更に、本発明の冷却機構は、画像形成装置に限らず他の電子機器に対しても適用可能である。
【産業上の利用可能性】
【００６２】
本発明の冷却機構及び画像形成装置は、埃等の多い劣悪な環境下においても、異常画像の発生を抑制することが可能な効果を有し、複写機、プリンタ、ファックス等に適用可能である。
【図面の簡単な説明】
【００６３】
【図１】本発明にかかる実施の形態１における複写機の側断面図
【図２】図１のＡＡ′断面の概略構成図
【図３】本発明にかかる実施の形態１における複写機のダクト先端部の拡大斜視図
【図４】本発明にかかる実施の形態１における複写機の変形例を説明するための反射板の拡大図
【図５】本発明にかかる実施の形態２における複写機の側断面図
【図６】図５のＢＢ′断面の概略構成図
【図７】本発明にかかる実施の形態３における複写機の側断面図
【図８】図７のＣＣ′断面の概略構成図
【図９】本発明にかかる実施の形態３における複写機のダクト先端部の拡大斜視図
【図１０】本発明にかかる実施の形態４における複写機の側断面図
【図１１】図１０のＤＤ′断面の概略構成図
【符号の説明】
【００６４】
１  給紙カセット
２  主帯電部
３  露光部
４  反転・分岐部
５  ドラム部
６  現像部
７  排出部
８  転写・分離部
９  搬送部
１０  クリーニング部
１１  給紙機構
１２  定着部
２０  ダクト
２１  吸引ファン
２２  フィルター
２３  反射板
２４  フェルト
【図１】
2007065404.tif 000003
【図２】
2007065404.tif 000004
【図３】
2007065404.tif 000005
【図４】
2007065404.tif 000006
【図５】
2007065404.tif 000007
【図６】
2007065404.tif 000008
【図７】
2007065404.tif 000009
【図８】
2007065404.tif 000010
【図９】
2007065404.tif 000011
【図１０】
2007065404.tif 000012
【図１１】
2007065404.tif 000013